(57)【要約】【課題】使用状況および設定された切替順序を考慮した優先度に基づき、入力端子を切り替えることができる入力切替装置を提供する。【解決手段】入力切替装置３８は、複数の入力端子３０ａから１つの入力端子を選択する入力選択部３１と、入力選択部における入力端子の使用状況を検出する使用状況検出部３２と、使用状況検出部が検出した入力端子毎の使用状況を使用状況情報として記憶する第１の記憶部（使用状況記憶部３４）と、入力選択部に選択させる入力端子の切り替えの順序を切替順序情報として記憶する第２の記憶部（切替順序記憶部３５）と、第１の記憶部に記憶されている使用状況情報、および第２の記憶部に記憶されている切替順序情報に基づいて、複数の入力端子の切替優先度を決定する優先度決定部３６と、優先度決定部が決定した切替優先度に従って、入力選択部に入力端子を切り替えて選択させる端子切替部３７と、を備える。【選択図】図１
2009278497.tif 000002
【特許請求の範囲】
【請求項１】
信号が入力される複数の入力端子を切り替える入力切替装置であって、
前記複数の入力端子から１つの入力端子を選択する入力選択部と、
前記入力選択部における前記入力端子の使用状況を検出する使用状況検出部と、
前記使用状況検出部が検出した前記入力端子毎の前記使用状況を使用状況情報として記憶する第１の記憶部と、
前記入力選択部に選択させる前記入力端子の切り替えの順序を切替順序情報として記憶する第２の記憶部と、
前記第１の記憶部に記憶されている前記使用状況情報、および前記第２の記憶部に記憶されている前記切替順序情報に基づいて、前記複数の入力端子の切替優先度を決定する優先度決定部と、
前記優先度決定部が決定した前記切替優先度に従って、前記入力選択部に前記入力端子を切り替えて選択させる端子切替部と、
を備えることを特徴とする入力切替装置。
【請求項２】
請求項１に記載の入力切替装置であって、
前記優先度決定部は、前記切替順序情報に基づいて、前記入力端子が循環的に切り替わるように順序を設定した上で、前記使用状況情報に基づいて、前記使用状況が最も多い前記入力端子を第１番目の優先度として前記切替優先度を決定することを特徴とする入力切替装置。
【請求項３】
請求項１または２に記載の入力切替装置であって、
前記使用状況検出部が検出する前記入力端子の前記使用状況は、前記入力端子が前記入力選択部によって選択された時間の累積とすることを特徴とする入力切替装置。
【請求項４】
請求項１または２に記載の入力切替装置であって、
前記使用状況検出部が検出する前記入力端子の前記使用状況は、前記入力端子が前記入力選択部によって選択された時間のうち、前記入力端子に前記信号が入力されていた時間の累積とすることを特徴とする入力切替装置。
【請求項５】
請求項１または２に記載の入力切替装置であって、
前記使用状況検出部が検出する前記入力端子の前記使用状況は、前記入力切替装置が、前回、電源投入されて使用された際に、前記入力端子が前記入力選択部によって選択された時間の累積とすることを特徴とする入力切替装置。
【請求項６】
請求項１または２に記載の入力切替装置であって、
前記使用状況検出部が検出する前記入力端子の前記使用状況は、前記入力端子が前記入力選択部によって選択された回数の累積とすることを特徴とする入力切替装置。
【請求項７】
請求項１または２に記載の入力切替装置であって、
前記使用状況検出部が検出する前記入力端子の前記使用状況は、前記入力端子が前記入力選択部によって選択された回数のうち、前記入力端子に前記信号が入力されていた回数の累積とすることを特徴とする入力切替装置。
【請求項８】
請求項１乃至７のいずれか一項に記載の入力切替装置と、
前記入力切替装置によって切り替えられた前記入力端子から画像信号を入力し、前記画像信号に基づいた画像を表示する表示部と、
を備えたことを特徴とする画像表示装置。
【請求項９】
請求項１乃至７のいずれか一項に記載の入力切替装置と、
光源と、前記光源から射出された光を、前記入力切替装置によって切り替えられた前記入力端子から入力した画像信号に応じて変調して画像を形成する光変調装置と、前記光変調装置で形成された前記画像を投写する投写光学系と、
を備えたことを特徴とするプロジェクタ。
【請求項１０】
第１の記憶部と、第２の記憶部とを有し、信号が入力される複数の入力端子を切り替える入力切替装置の制御方法であって、
前記複数の入力端子から１つの入力端子を選択する入力選択工程と、
前記入力選択工程における前記入力端子の使用状況を検出する使用状況検出工程と、
前記使用状況検出工程が検出した前記入力端子毎の前記使用状況を使用状況情報として前記第１の記憶部に記憶させる第１の記憶工程と、
前記入力選択工程に選択させる前記入力端子の切り替えの順序を切替順序情報として前記第２の記憶部に記憶させる第２の記憶工程と、
前記第１の記憶部に記憶されている前記使用状況情報、および前記第２の記憶部に記憶されている前記切替順序情報に基づいて、前記複数の入力端子の切替優先度を決定する優先度決定工程と、
前記優先度決定工程が決定した前記切替優先度に従って、前記入力選択工程に前記入力端子を切り替えて選択させる端子切替工程と、
を備えることを特徴とする入力切替装置の制御方法。
【発明の詳細な説明】
【技術分野】
【０００１】
本発明は、入力切替装置、画像表示装置、プロジェクタ、および入力切替装置の制御方法に関する。
【背景技術】
【０００２】
従来、例えば表示機器等における入力切替装置として、画面モード（例えば、映画モード、ゲームモード等）に応じた外部入力端子の優先順位を記憶し、その優先順位に基づいて外部入力端子を切り替えるものが提案されている（特許文献１参照）。このような入力切替装置では、ユーザが優先順位を設定することで、画面モード毎に外部入力端子の優先順位を変更することができる。また、例えばテレビ受信機等の電子機器として、使用状態（例えば、入力切替や受信チャネル等）に係る履歴情報を記憶しておき、ユーザが使用状態を順次インクリメントしながら選択するための操作を行ったとき、操作がある毎に、使用頻度が順に低い使用状態となるように切り替えるものが提案されている（特許文献２参照）。このような電子機器によれば、使用頻度が高い使用状態から低い使用状態へ順に切り替えることが可能となり、ユーザの使用頻度を切り替えの優先度に反映させることができる。
【０００３】
【特許文献１】特開２００７−３０６１１７号公報
【特許文献２】特開２００５−１０１８６３号公報
【発明の開示】
【発明が解決しようとする課題】
【０００４】
しかしながら、特許文献１の入力切替装置では、ユーザにより設定された優先順位によって入力端子の優先度を決めているため、実際の使用頻度を切替順序に反映することができないという課題があった。また、特許文献２の電子機器では、過去の使用頻度に基づいて使用状態の優先度を決めているため、ユーザが、自ら切替順序を設定できないという課題があった。従って、装置の使用状況（使用頻度）、および、ユーザにより設定された切替順序を考慮した優先度に基づき、入力端子を切り替えることができる入力切替装置が求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係る入力切替装置は、信号が入力される複数の入力端子を切り替える入力切替装置であって、前記複数の入力端子から１つの入力端子を選択する入力選択部と、前記入力選択部における前記入力端子の使用状況を検出する使用状況検出部と、前記使用状況検出部が検出した前記入力端子毎の前記使用状況を使用状況情報として記憶する第１の記憶部と、前記入力選択部に選択させる前記入力端子の切り替えの順序を切替順序情報として記憶する第２の記憶部と、前記第１の記憶部に記憶されている前記使用状況情報、および前記第２の記憶部に記憶されている前記切替順序情報に基づいて、前記複数の入力端子の切替優先度を決定する優先度決定部と、前記優先度決定部が決定した前記切替優先度に従って、前記入力選択部に前記入力端子を切り替えて選択させる端子切替部と、を備えることを特徴とする。
【０００７】
このような入力切替装置によれば、使用状況検出部は、入力端子の使用状況を検出する。そして、優先度決定部は、使用状況情報および切替順序情報に基づいて、複数の入力端子の切替優先度を決定する。そして、端子切替部は、その切替優先度に従って、入力選択部に入力端子を切り替えて選択させる。これにより、使用状況および切替順序を考慮して、入力端子の切替優先度を決定し、入力端子を切り替えることが可能となるため、ユーザは所望の入力端子を効率よく選択することができる。
【０００８】
［適用例２］上記適用例に係る入力切替装置において、前記優先度決定部は、前記切替順序情報に基づいて、前記入力端子が循環的に切り替わるように順序を設定した上で、前記使用状況情報に基づいて、前記使用状況が最も多い前記入力端子を第１番目の優先度として前記切替優先度を決定することを特徴とする。
【０００９】
このような入力切替装置によれば、優先度決定部は、切替順序情報に基づいて、入力端子が循環的に切り替わるように順序を設定し、使用状況情報に基づいて、使用状況が最も多い入力端子を第１番目の優先度として切替優先度を決定する。これにより、例えば、ユーザが設定した切替順序を考慮しつつ、使用状況が最も多い入力端子を切替優先度の第１番目とすることができるため、ユーザは選択操作の手間を省くことができ、操作性が向上する。
【００１０】
［適用例３］上記適用例に係る入力切替装置において、前記使用状況検出部が検出する前記入力端子の前記使用状況は、前記入力端子が前記入力選択部によって選択された時間の累積とすることを特徴とする。
【００１１】
このような入力切替装置によれば、使用状況検出部は、入力端子が入力選択部によって選択された時間の累積を以って使用状況とする。そして、優先度決定部は、この使用状況を考慮して切替優先度を決定する。これにより、ユーザが入力端子を選択していた時間を切替優先度に反映させることが可能となり、使用時間が多い入力端子の切替優先度を高くすることができる。
【００１２】
［適用例４］上記適用例に係る入力切替装置において、前記使用状況検出部が検出する前記入力端子の前記使用状況は、前記入力端子が前記入力選択部によって選択された時間のうち、前記入力端子に前記信号が入力されていた時間の累積とすることを特徴とする。
【００１３】
このような入力切替装置によれば、使用状況検出部は、入力端子が入力選択部によって選択された時間のうち、入力端子に信号が入力されていた時間の累積を以って使用状況とする。そして、優先度決定部は、この使用状況を考慮して切替優先度を決定する。これにより、ユーザが入力端子を選択して、実際に入力信号を使用していた時間を切替優先度に反映させることが可能となり、ユーザの実績使用時間が多い入力端子の切替優先度を高くすることができる。
【００１４】
［適用例５］上記適用例に係る入力切替装置において、前記使用状況検出部が検出する前記入力端子の前記使用状況は、前記入力切替装置が、前回、電源投入されて使用された際に、前記入力端子が前記入力選択部によって選択された時間の累積とすることを特徴とする。
【００１５】
このような入力切替装置によれば、使用状況検出部は、前回、入力切替装置が電源投入されて使用された際に、入力端子が入力選択部によって選択された時間の累積を以って使用状況とする。そして、優先度決定部は、この使用状況を考慮して切替優先度を決定する。これにより、前回、入力切替装置を使用した際に、ユーザが入力端子を選択していた時間を切替優先度に反映させることが可能となり、直前の使用実績が多い入力端子の切替優先度を高くすることができる。
【００１６】
［適用例６］上記適用例に係る入力切替装置において、前記使用状況検出部が検出する前記入力端子の前記使用状況は、前記入力端子が前記入力選択部によって選択された回数の累積とすることを特徴とする。
【００１７】
このような入力切替装置によれば、使用状況検出部は、入力端子が入力選択部によって選択された回数の累積を以って使用状況とする。そして、優先度決定部は、この使用状況を考慮して切替優先度を決定する。これにより、ユーザが入力端子を選択した回数を切替優先度に反映させることが可能となり、使用回数が多い入力端子の切替優先度を高くすることができる。
【００１８】
［適用例７］上記適用例に係る入力切替装置において、前記使用状況検出部が検出する前記入力端子の前記使用状況は、前記入力端子が前記入力選択部によって選択された回数のうち、前記入力端子に前記信号が入力されていた回数の累積とすることを特徴とする。
【００１９】
このような入力切替装置によれば、使用状況検出部は、入力端子が入力選択部によって選択された回数のうち、入力端子に信号が入力されていた回数の累積を以って使用状況とする。そして、優先度決定部は、この使用状況を考慮して切替優先度を決定する。これにより、ユーザが入力端子を選択して、実際に入力信号を使用した回数を切替優先度に反映させることが可能となり、実績使用回数が多い入力端子の切替優先度を高くすることができる。
【００２０】
［適用例８］本適用例に係る画像表示装置は、上記適用例に記載の入力切替装置と、前記入力切替装置によって切り替えられた前記入力端子から画像信号を入力し、前記画像信号に基づいた画像を表示する表示部と、を備えたことを特徴とする。
【００２１】
このような画像表示装置によれば、使用状況および切替順序を考慮して、入力端子の切替優先度を決定し、入力端子を切り替えて、画像を表示することが可能となるため、ユーザは、所望の入力端子を効率よく選択することができる。
【００２２】
［適用例９］本適用例に係るプロジェクタは、上記適用例に記載の入力切替装置と、光源と、前記光源から射出された光を、前記入力切替装置によって切り替えられた前記入力端子から入力した画像信号に応じて変調して画像を形成する光変調装置と、前記光変調装置で形成された前記画像を投写する投写光学系と、を備えたことを特徴とする。
【００２３】
このようなプロジェクタによれば、使用状況および切替順序を考慮して、入力端子の切替優先度を決定し、入力端子を切り替えて、画像投写することが可能となるため、ユーザは、所望の入力端子を効率よく選択することができる。
【００２４】
［適用例１０］本適用例に係る入力切替装置の制御方法は、第１の記憶部と、第２の記憶部とを有し、信号が入力される複数の入力端子を切り替える入力切替装置の制御方法であって、前記複数の入力端子から１つの入力端子を選択する入力選択工程と、前記入力選択工程における前記入力端子の使用状況を検出する使用状況検出工程と、前記使用状況検出工程が検出した前記入力端子毎の前記使用状況を使用状況情報として前記第１の記憶部に記憶させる第１の記憶工程と、前記入力選択工程に選択させる前記入力端子の切り替えの順序を切替順序情報として前記第２の記憶部に記憶させる第２の記憶工程と、前記第１の記憶部に記憶されている前記使用状況情報、および前記第２の記憶部に記憶されている前記切替順序情報に基づいて、前記複数の入力端子の切替優先度を決定する優先度決定工程と、前記優先度決定工程が決定した前記切替優先度に従って、前記入力選択工程に前記入力端子を切り替えて選択させる端子切替工程と、を備えることを特徴とする。
【００２５】
このような入力切替装置の制御方法によれば、使用状況および切替順序を考慮して、入力端子の切替優先度を決定し、入力端子を切り替えて、画像投写することが可能となるため、ユーザは所望の入力端子を効率よく選択することができる。
【００２６】
また、上述した入力切替装置およびその制御方法が入力切替装置に備えられたコンピュータを用いて構築されている場合には、上記形態および上記適用例は、その機能を実現するためのプログラム、あるいは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、画像表示装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００２７】
以下、入力切替装置を備える画像表示装置の実施形態として、入力される画像信号に基づく画像を投写して、外部のスクリーン等に表示するプロジェクタについて説明する。
【００２８】
（実施形態）
図１は、本実施形態に係るプロジェクタの概略構成を示すブロック図である。図１を使用して、プロジェクタ１の内部構成について説明する。
【００２９】
プロジェクタ１は、画像投写部１０、制御部２０、入力操作部２１、入力端子群３０、入力切替装置３８、画像処理部４０、ＯＳＤ処理部４１等を備えている。そして、入力切替装置３８は、入力選択部３１、使用状況検出部３２、計時部３３、特許請求の範囲の第１の記憶部としての使用状況記憶部３４、特許請求の範囲の第２の記憶部としての切替順序記憶部３５、優先度決定部３６、および端子切替部３７を備えている。また、図１には、プロジェクタ１の外部に、スクリーンＳＣを図示している。
【００３０】
画像投写部１０は、超高圧水銀ランプやメタルハライドランプ等の放電型光源やＬＥＤ（Light Emitting Diode）等の固体光源からなる光源１１と、光変調装置としての液晶ライトバルブ１２と、投写光学系としての投写レンズ１３と、液晶ライトバルブ１２を駆動するライトバルブ駆動部１４とを備えている。
【００３１】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００３２】
光源１１から射出された光は、この液晶ライトバルブ１２を透過することによって変調され、変調後の光が投写レンズ１３によって投写されることにより、スクリーンＳＣ等に画像信号に応じた画像が表示される。
【００３３】
制御部２０は、ＣＰＵ（Central Processing Unit）、各種データの一時記憶等に用いられるＲＡＭ（Random Access Memory）、および、マスクＲＯＭ（Read Only Memory）やフラッシュメモリ、ＦｅＲＡＭ（Ferroelectric RAM：強誘電体メモリ）等の不揮発性のメモリ等（いずれも図示せず）を備え、コンピュータとして機能するものである。制御部２０は、ＣＰＵが不揮発性のメモリに記憶されている制御プログラムに従って動作することにより、プロジェクタ１の動作を統括制御する。
【００３４】
入力操作部２１は、プロジェクタ１に対して各種指示を行うための複数のキー等を備えている。入力操作部２１が備えるキーとしては、電源のオン／オフを行うための「電源キー」や、入力端子を切り替えるための「入力切替キー」、各種設定を行うためのメニュー画面の表示／非表示を切り替える「メニューキー」、メニュー画面におけるカーソルの移動等に用いられる「カーソルキー」、各種設定を決定するための「決定キー」等がある。ユーザが入力操作部２１を操作すると、入力操作部２１は、ユーザの操作内容に応じた操作信号を制御部２０に出力する。なお、入力操作部２１は、リモコン信号受信部（図示せず）と遠隔操作が可能なリモートコントローラ（図示せず）を有した構成としてもよい。この場合、リモートコントローラは、ユーザの操作内容に応じた赤外線等の操作信号を発し、リモコン信号受信部がこれを受信して制御部２０に伝達する。
【００３５】
入力端子群３０は、パーソナルコンピュータやビデオプレーヤ等、外部の画像供給装置から、各種形式の画像信号を入力可能な複数の入力端子３０ａを備えている。本実施形態では、入力端子群３０には、コンピュータ１、コンピュータ２、コンピュータ３、ビデオ１、ビデオ２、ビデオ３、ＨＤＭＩ（High-Definition Multimedia Interface）１、ＨＤＭＩ２、ＨＤＭＩ３、およびＤＶＤ（Digital Versatile Disk）の入力端子３０ａを備えている。各入力端子３０ａに入力された画像信号は、入力選択部３１に供給される。なお、プロジェクタ１は、ＤＶＤ再生装置を一体的に備えるものとしてもよい。この場合は、プロジェクタ１の内部に、ＤＶＤメディアからデータを読み取って信号処理を行うＤＶＤ再生部（図示せず）を備える。そして、ＤＶＤ再生部によって信号処理された画像信号が、入力端子３０ａの１つに供給される。
【００３６】
入力選択部３１は、複数の入力端子３０ａのうち、端子切替部３７の指示に基づく１つの入力端子３０ａを選択し、この入力端子３０ａに入力される画像信号を使用状況検出部３２および画像処理部４０に出力する。
【００３７】
使用状況検出部３２は、入力選択部３１から選択している入力端子３０ａの情報を入力し、端子切替部３７に出力する。また、使用状況検出部３２は、入力選択部３１が選択している入力端子３０ａの使用状況として、その入力端子３０ａの使用累積時間を算出する。ここで、入力端子３０ａの使用累積時間とは、入力選択部３１によって入力端子３０ａが選択されている時間の累積を示す。使用状況検出部３２は、入力端子３０ａが切り替えられたときに、計時部３３に指示を行い、入力端子３０ａが選択されていた時間を計時させて、その計時結果を入力する。そして、使用状況検出部３２は、使用状況記憶部３４に記憶されている入力端子３０ａの前回までの使用累積時間に計時結果を加算し、加算結果を使用状況記憶部３４に記憶させる。
【００３８】
計時部３３は、使用状況検出部３２からの指示に従って、入力端子３０ａが選択されている時間を計時する。そして、計時結果を使用状況検出部３２に出力する。
【００３９】
使用状況記憶部３４は、不揮発性のメモリからなり、使用状況情報として入力端子３０ａ毎の使用累積時間を記憶する。使用累積時間は、使用状況検出部３２によって読み出しおよび書き込みが行われる。また、使用状況記憶部３４は、優先度決定部３６に使用累積時間の情報を出力する。
【００４０】
切替順序記憶部３５は、不揮発性のメモリからなり、入力端子３０ａ毎の切替順序情報を記憶する。ここで、切替順序情報とは、各入力端子３０ａについて、使用するか否かを表す情報、および、使用する入力端子３０ａの切替順序を表す情報を示す。本実施形態では、ユーザが入力操作部２１を操作することで、制御部２０を介して、切替順序情報を設定可能としている。よって、切替順序記憶部３５は、制御部２０によって、書き込みおよび読み出しが行われる。また、切替順序記憶部３５は、優先度決定部３６に切替順序情報を出力する。
【００４１】
ここで、切替順序情報を設定する方法について説明する。図２は、切替順序設定画面の説明図である。切替順序設定画面Ｇ１とは、入力端子３０ａを選択し、切替順序情報をユーザに設定させるための画面である。本実施形態では、切替順序設定画面Ｇ１は、ＯＳＤ表示とし、制御部２０がＯＳＤ処理部４１に指示を行って表示を行う。
図２に示すように、切替順序設定画面Ｇ１には、プロジェクタ１の全ての入力端子３０ａが表示されており、ユーザは、その全ての入力端子３０ａから使用したい入力端子３０ａを任意に選択し、さらに、選択した入力端子３０ａの切替順序を設定することが可能になっている。
【００４２】
切替順序設定画面Ｇ１の画面左側には、入力端子一覧として、コンピュータ１、コンピュータ２、コンピュータ３、ビデオ１、ビデオ２、ビデオ３、ＨＤＭＩ１、ＨＤＭＩ２、ＨＤＭＩ３、およびＤＶＤといった入力端子名が表示される。切替順序設定画面Ｇ１の画面中央には、ユーザの操作ボタンとして、「追加→」、「←削除」、「上へ移動」および「下へ移動」のボタンが表示される。切替順序設定画面Ｇ１の画面右側には、使用する入力端子と切替順序として、ユーザが選択した入力端子名が切替順序に従って上から順に表示される。
【００４３】
ユーザが入力操作部２１を操作して、画面左側の入力端子一覧から任意の入力端子名を選択し、「追加→」ボタンを押下する操作を行うと、選択された入力端子名が画面右側に追加される。追加された入力端子は、入力切替操作によって切り替え可能となる。また、ユーザは、画面右側に追加された入力端子から任意の入力端子名を選択し、「上へ移動」または「下へ移動」のボタンを押下する操作を行うと、画面右側に追加された入力端子名が上または下へ１つずつ移動され、切替順序が変更される。また、ユーザは、画面右側に追加された入力端子から任意の入力端子名を選択し、「←削除」のボタンを押下する操作を行うと、選択された入力端子名が画面右側から削除される。そして、削除された入力端子は、入力切替操作による切り替えが不可能となる。上述したような操作を行うことで、ユーザは、切替順序情報を設定することができる。
【００４４】
図１に戻り、優先度決定部３６は、制御部２０の指示に基づいて、使用状況記憶部３４から入力端子３０ａ毎の使用累積時間を入力し、切替順序記憶部３５から入力端子３０ａ毎の切替順序情報を入力して、使用累積時間および切替順序情報に基づいて複数の入力端子３０ａの切替優先度を表す切替優先度テーブルを作成する。ここで、切替優先度とは、複数の入力端子３０ａを切り替えて選択する際の優先度を示す。そして、優先度決定部３６は、切替優先度テーブルの情報を端子切替部３７に出力する。切替優先度テーブルの作成処理については後述する。
【００４５】
端子切替部３７は、制御部２０の指示に基づいて、優先度決定部３６から切替優先度テーブルの情報を入力し、切り替える入力端子３０ａを決定し、決定した入力端子３０ａを入力選択部３１に指示して選択させる。
【００４６】
画像処理部４０は、入力選択部３１から入力される各種形式の画像信号を、液晶ライトバルブ１２の各画素の階調を表す画像データ、即ち各画素に印加する駆動電圧を規定するための画像データに変換する。さらに、制御部２０の指示に基づいて、変換した画像データに対して、明るさ、コントラスト、シャープネス、色合い等を調整するための処理等を行う。画像処理部４０で画質調整等がなされた画像データは、ＯＳＤ処理部４１に出力される。
【００４７】
ＯＳＤ処理部４１は、制御部２０の指示に基づいて、メニュー画面やメッセージ画面等のＯＳＤ（オンスクリーンディスプレイ）画像を、画像処理部４０から入力される画像データに重畳する処理を行う。ＯＳＤ処理部４１は、図示しないＯＳＤメモリを備えており、ＯＳＤ画像を形成するための図形やフォント等を表すＯＳＤ画像データを記憶している。制御部２０が、ＯＳＤ画像の重畳を指示すると、ＯＳＤ処理部４１は、必要なＯＳＤ画像データをＯＳＤメモリから読み出し、入力画像の所定の位置にＯＳＤ画像が重畳されるように、画像処理部４０から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部４１は、画像処理部４０から出力される画像データを、そのままライトバルブ駆動部１４に出力する。
【００４８】
次に、切替優先度テーブルの作成処理について、フローチャート、および、テーブルを示す図を用いて説明する。図３は、切替優先度テーブル作成処理のフローチャートである。図４は、切替優先度テーブルを作成する過程において生成するテーブルを示す図であり、同図（ａ）は、入力端子状態テーブルの図であり、同図（ｂ）は、有効入力端子テーブルの図であり、同図（ｃ）は、切替優先度テーブルの図である。なお、切替優先度テーブルの作成処理は、プロジェクタ１の電源が投入されたときに、制御部２０からの指示により実行される。
【００４９】
図３のフローチャートに示すように、制御部２０から切替優先度テーブル作成の指示を受けると、優先度決定部３６は、切替順序記憶部３５から切替順序情報を入力し、使用状況記憶部３４から使用累積時間を入力する。そして、入力端子３０ａ毎の切替順序および使用累積時間を記載した入力端子状態テーブルＴ１を作成する（ステップＳ１０１）。図４（ａ）において、入力端子状態テーブルＴ１には、全ての入力端子名と、それぞれの入力端子３０ａについての切替順序と、それぞれの入力端子３０ａについての使用累積時間が表記される。なお、図２の切替順序情報の設定で説明したように、ユーザによって、使用する入力端子３０ａとして選択されなかった入力端子３０ａは、未使用として、切替順序上は「ＯＦＦ」と表記される。
【００５０】
図３のフローチャートに戻り、優先度決定部３６は、入力端子状態テーブルＴ１から、切替順序が「ＯＦＦ」となっている入力端子３０ａを除き、切替順序の番号順に並べ替えて、有効入力端子テーブルＴ２を作成する（ステップＳ１０２）。図４（ｂ）においては、入力端子３０ａは、コンピュータ１、ビデオ２、ＤＶＤ、ＨＤＭＩ３の切替順序で並べられる。
【００５１】
図３のフローチャートに戻り、優先度決定部３６は、有効入力端子テーブルＴ２の中で、使用累積時間が最も多い入力端子３０ａを検索する（ステップＳ１０３）。そして、優先度決定部３６は、使用累積時間が最も多い入力端子３０ａが複数有るか否かを判断する（ステップＳ１０４）。使用累積時間が最も多い入力端子３０ａが複数でなかった場合（ステップＳ１０４：ＮＯ）、使用累積時間が最も多い入力端子３０ａを第１番目の優先度とし、切替順序に基づいて入力端子３０ａが循環的に切り替わるように切替優先度を決定して、切替優先度テーブルＴ３とする（ステップＳ１０６）。そして、切替優先度テーブル作成処理を終了する。
【００５２】
図４（ｃ）においては、使用累積時間が最も多いのはＤＶＤであるため、ＤＶＤを第１番目の優先度とし、その他は切替順序に基づいて入力端子３０ａが循環的に切り替わるように、ＨＤＭＩ３を第２番目とし、コンピュータ１を第３番目とし、ビデオ２を第４番目となる切替優先度が決定される。
【００５３】
図３のフローチャートにて、使用累積時間が最も多い入力端子３０ａが複数有る場合（ステップＳ１０４：ＹＥＳ）、複数の中で、切替順序の番号が最も小さい入力端子３０ａを選択する（ステップＳ１０５）。そして、ステップＳ１０６に移行する。
【００５４】
上述したような切替優先度テーブル作成処理によって、入力端子３０ａの切替優先度が決定される。
【００５５】
次に、プロジェクタ１の電源が投入されたときの入力端子選択の処理についてフローチャートを用いて説明する。図５は、プロジェクタ１の電源投入時の入力端子選択処理のフローチャートである。プロジェクタ１に電源が投入されると、各種の初期化処理を実行され、さらに、入力端子選択処理が実行される。
【００５６】
制御部２０からの指示により、優先度決定部３６は、図４で説明した切替優先度テーブル作成処理を行う（ステップＳ２０１）。次に、制御部２０からの指示により、端子切替部３７は、優先度決定部３６から切替優先度テーブルＴ３の情報を入力する。そして、端子切替部３７は、切替優先度テーブルＴ３の切替優先度の番号が最も小さい入力端子３０ａを検索する（ステップＳ２０２）。
【００５７】
端子切替部３７は、検索した結果の切替優先度の番号が最も小さい入力端子３０ａを選択するように入力選択部３１に指示を出す。そして、入力選択部３１は、指示された入力端子３０ａを選択して、選択した入力端子３０ａから画像信号を入力する（ステップＳ２０３）。
【００５８】
上述したような入力選択処理によって、プロジェクタ１の電源投入時には、切替優先度が最も高い、即ち最も使用累積時間が多い入力端子３０ａが選択される。そして、プロジェクタ１は、選択された入力端子３０ａに入力されている画像信号に基づいた画像を投写する。
【００５９】
次に、プロジェクタ１の入力切替操作が行われたときの入力端子３０ａの切替の処理についてフローチャートを用いて説明する。図６は、プロジェクタ１の入力切替操作時の入力端子切替処理のフローチャートである。ユーザによって、プロジェクタ１の入力操作部２１に備わる入力切替キーが押下されると、入力端子切替処理が実行される。
【００６０】
制御部２０からの指示により、端子切替部３７は、優先度決定部３６から切替優先度テーブルＴ３の情報を入力する。そして、端子切替部３７は、現在、入力選択部３１が選択している入力端子３０ａの情報を、使用状況検出部３２から入力する（ステップＳ３０１）。そして、端子切替部３７は、切替優先度テーブルＴ３における、選択中の入力端子３０ａの次の切替優先度の入力端子３０ａを検索する。（ステップＳ３０２）。このとき、端子切替部３７は、切替優先度を循環的に検索する。
【００６１】
端子切替部３７は、検索した結果の入力端子３０ａを選択するように入力選択部３１に指示を出す。そして、入力選択部３１は、検索した結果の入力端子３０ａを選択して、選択した入力端子３０ａから画像信号を入力する（ステップＳ３０３）。
【００６２】
上述したような入力端子切替処理によって、入力切替操作が行われたときに、次の切替優先度の入力端子３０ａが選択される。そして、プロジェクタ１は、選択された入力端子３０ａに入力されている画像信号に基づいた画像を投写する。
【００６３】
以上説明したように、本実施形態のプロジェクタ１によれば、以下の効果を得ることができる。
（１）プロジェクタ１は、使用累積時間および切替順序を考慮して、入力端子３０ａの切替優先度を決定し、入力端子３０ａを切り替える。これにより、ユーザは所望の入力端子３０ａを効率よく選択することができる。
【００６４】
（２）プロジェクタ１は、使用累積時間が最も多い入力端子３０ａを切替優先度の第１番目とする。このように、使用時間を考慮して切替優先度の第１番目を決定するため、ユーザの使用傾向に合致した入力端子３０ａを選択することが可能となり、有益である。
【００６５】
（３）プロジェクタ１は、電源投入時に、切替優先度の第１番目の入力端子３０ａ、即ち最も使用累積時間が多い入力端子３０ａを選択し、その入力端子３０ａに入力されている画像信号に基づいた画像を投写する。これにより、電源投入時には、ユーザによる選択操作の手間を省くことが可能となり、操作性が向上する。
【００６６】
（４）プロジェクタ１では、ユーザが自ら入力端子３０ａの切替順序を設定することができる。これにより、ユーザが設定した切替順序を切替優先度に反映させることが可能となるため、有益である。
【００６７】
（５）プロジェクタ１は、入力切替操作が行われたときに、次の切替優先度の入力端子３０ａを選択し、選択された入力端子３０ａに入力されている画像信号に基づいた画像を投写する。これにより、入力切替操作時には、ユーザが設定した切替順序に応じて入力端子３０ａを切り替えるため、ユーザの意図に沿った入力切替が可能となり、操作性が向上する。
【００６８】
なお、上述した実施形態に限定されず、種々の変更や改良等を加えて実施することが可能である。変形例を以下に述べる。
【００６９】
（変形例１）上記実施形態では、使用状況検出部３２が検出する使用状況は、入力端子３０ａが入力選択部３１によって選択された時間の累積（使用累積時間）としているが、入力端子３０ａが入力選択部３１によって選択された時間のうち、入力端子３０ａに画像信号が入力されていた時間の累積としてもよい。
本変形例では、入力選択部３１が選択している入力端子３０ａの画像信号の入力状況を使用状況検出部３２が検出し、信号入力の有る使用累積時間を算出する。そして、使用状況記憶部３４に信号入力の有る使用累積時間を記憶し、優先度決定部３６は、信号入力の有る使用累積時間および切替順序情報に基づいて切替優先度テーブルを作成する。そして、切替優先度テーブルに基づいて、端子切替部３７が端子を切り替えるように入力選択部３１に指示をする。
【００７０】
図７は、変形例１に係るプロジェクタ１が切替優先度テーブルを作成する過程において生成するテーブルを示す図であり、同図（ａ）は、入力端子状態テーブルの図であり、同図（ｂ）は、有効入力端子テーブルの図であり、同図（ｃ）は、切替優先度テーブルの図である。
図７（ａ）に示すように、入力端子状態テーブルＴ１ａには、全ての入力端子名と、それぞれの入力端子３０ａについての切替順序と、それぞれの入力端子３０ａについての信号入力有りの使用累積時間が表記される。図７（ｂ）では、有効入力端子テーブルＴ２ａが示されており、入力端子３０ａは、コンピュータ１、ビデオ２、ＤＶＤ、ＨＤＭＩ３の切替順序で並んでいる。図７（ｃ）では、切替優先度テーブルＴ３ａが示されており、信号入力有りの使用累積時間が最も多いのはＨＤＭＩ３であるため、ＨＤＭＩ３を第１番目の優先度とし、その他は切替順序に基づいて入力端子３０ａが循環的に切り替わるように、コンピュータ１を第２番目とし、ビデオ２を第３番目とし、ＤＶＤを第４番目として切替優先度が決定される。
【００７１】
本変形例のプロジェクタ１は、使用状況として、入力端子３０ａが選択されて信号が入力されていた時間の累積を使用するため、ユーザが入力端子３０ａを選択して、実際に入力信号に基づいて画像を投写していた時間を切替優先度に反映させることが可能となり、ユーザの実績としての使用時間が最も多い入力端子３０ａを、第１番目の切替優先度にすることができる。
【００７２】
（変形例２）上記実施形態では、使用状況検出部３２が検出する使用状況は、入力端子３０ａが入力選択部３１によって選択された時間の累積（使用累積時間）としているが、プロジェクタ１が、前回、電源投入されて使用された際に、入力端子３０ａが入力選択部３１によって選択された時間の累積としてもよい。
本変形例では、使用状況検出部３２が、入力選択部３１が選択している入力端子３０ａの使用時間を算出する。そして、使用状況記憶部３４に前回使用時の使用累積時間を記憶し、優先度決定部３６は、前回使用時の使用累積時間および切替順序情報に基づいて切替優先度テーブルを作成する。そして、切替優先度テーブルに基づいて、端子切替部３７が端子を切り替えるように入力選択部３１に指示をする。
【００７３】
図８は、変形例２に係るプロジェクタ１が切替優先度テーブルを作成する過程において生成するテーブルを示す図であり、同図（ａ）は、入力端子状態テーブルの図であり、同図（ｂ）は、有効入力端子テーブルの図であり、同図（ｃ）は、切替優先度テーブルの図である。
図８（ａ）に示すように、入力端子状態テーブルＴ１ｂには、全ての入力端子名と、それぞれの入力端子３０ａについての切替順序と、それぞれの入力端子３０ａについての前回使用時の使用累積時間が表記される。図８（ｂ）では、有効入力端子テーブルＴ２ｂが示されており、入力端子３０ａは、コンピュータ１、ビデオ２、ＤＶＤ、ＨＤＭＩ３の切替順序で並んでいる。図８（ｃ）では、切替優先度テーブルＴ３ｂが示されており、前回使用時の使用累積時間が最も多いのはビデオ２であるため、ビデオ２を第１番目の優先度とし、その他は切替順序に基づいて入力端子３０ａが循環的に切り替わるように、ＤＶＤを第２番目とし、ＨＤＭＩ３を第３番目とし、コンピュータ１を第４番目として切替優先度が決定される。
【００７４】
本変形例のプロジェクタ１は、使用状況として、前回使用時に入力端子３０ａが選択された時間を使用するため、前回、使用したユーザが選択した入力端子３０ａの時間を、切替優先度に反映させることが可能となり、直前の使用実績が最も多い入力端子３０ａを第１番目の切替優先度にすることができる。
【００７５】
（変形例３）上記実施形態では、使用状況検出部３２が検出する使用状況は、入力端子３０ａが入力選択部３１によって選択された時間の累積（使用累積時間）としているが、入力端子３０ａが入力選択部３１によって選択された回数の累積としてもよい。
本変形例では、使用状況検出部３２が、入力選択部３１が選択している入力端子３０ａの使用累積回数を算出する。そして、使用状況記憶部３４に使用累積回数を記憶し、優先度決定部３６は、使用累積回数および切替順序情報に基づいて切替優先度テーブルを作成する。そして、切替優先度テーブルに基づいて、端子切替部３７が端子を切り替えるように入力選択部３１に指示をする。
【００７６】
図９は、変形例３に係るプロジェクタ１が切替優先度テーブルを作成する過程において生成するテーブルを示す図であり、同図（ａ）は、入力端子状態テーブルの図であり、同図（ｂ）は、有効入力端子テーブルの図であり、同図（ｃ）は、切替優先度テーブルの図である。
図９（ａ）に示すように、入力端子状態テーブルＴ１ｃには、全ての入力端子名と、それぞれの入力端子３０ａについての切替順序と、それぞれの入力端子３０ａについての使用累積回数が表記される。図９（ｂ）では、有効入力端子テーブルＴ２ｃが示されており、入力端子３０ａは、ビデオ１、ＤＶＤ、ＨＤＭＩ１、ビデオ２、ＨＤＭＩ３の切替順序で並んでいる。図９（ｃ）では、切替優先度テーブルＴ３ｃが示されており、使用累積回数が最も多いのはＤＶＤであるため、ＤＶＤを第１番目の優先度とし、その他は切替順序に基づいて入力端子３０ａが循環的に切り替わるように、ＨＤＭＩ１を第２番目とし、ビデオ２を第３番目とし、ＨＤＭＩ３を第４番目とし、ビデオ１を５番目として切替優先度が決定される。
【００７７】
本変形例のプロジェクタ１は、使用状況として、入力端子３０ａが選択された回数の累積を使用するため、ユーザが入力端子３０ａを選択した回数を切替優先度に反映させることが可能となり、ユーザの使用回数が最も多い入力端子３０ａを、第１番目の切替優先度にすることができる。また、計時部３３を用いて入力端子３０ａの使用時間を計時する必要がないため、プロジェクタ１の処理の負荷を低減することができる。
【００７８】
（変形例４）上記実施形態では、使用状況検出部３２が検出する使用状況は、入力端子３０ａが入力選択部３１によって選択された時間の累積（使用累積時間）としているが、入力端子３０ａが入力選択部３１によって選択された回数のうち、入力端子３０ａに信号が入力されていた回数の累積としてもよい。
本変形例では、使用状況検出部３２が、入力選択部３１が選択している入力端子３０ａの選択回数のうち、信号入力の有る使用累積回数を算出する。そして、使用状況記憶部３４に信号入力の有る使用累積回数を記憶し、優先度決定部３６は、信号入力の有る使用累積回数および切替順序情報に基づいて切替優先度テーブルを作成する。そして、切替優先度テーブルに基づいて、端子切替部３７が端子を切り替えるように入力選択部３１に指示をする。
【００７９】
図１０は、変形例４に係るプロジェクタ１が切替優先度テーブルを作成する過程において生成するテーブルを示す図であり、同図（ａ）は、入力端子状態テーブルの図であり、同図（ｂ）は、有効入力端子テーブルの図であり、同図（ｃ）は、切替優先度テーブルの図である。
図１０（ａ）に示すように、入力端子状態テーブルＴ１ｄには、全ての入力端子名と、それぞれの入力端子３０ａについての切替順序と、それぞれの入力端子３０ａについての信号入力有りの使用累積回数が表記される。図１０（ｂ）では、有効入力端子テーブルＴ２ｄが示されており、入力端子３０ａは、ビデオ１、ＤＶＤ、ＨＤＭＩ１、ビデオ２、ＨＤＭＩ３の切替順序で並んでいる。図１０（ｃ）では、切替優先度テーブルＴ３ｄが示されており、信号入力有りの使用累積回数が最も多いのはビデオ１およびＤＶＤである。この場合は、切替順序の番号が小さいものを高い優先度とするため、ビデオ１を第１番目の優先度とし、その他は切替順序に基づいて入力端子３０ａが循環的に切り替わるように、ＤＶＤを第２番目とし、ＨＤＭＩ１を第３番目とし、ビデオ２を第４番目とし、ＨＤＭＩ３を５番目として切替優先度が決定される。
【００８０】
本変形例のプロジェクタ１は、使用状況として、入力端子３０ａが選択されて信号が入力されていた回数の累積を使用するため、ユーザが入力端子３０ａを選択して、実際に入力信号に基づいて画像を投写していた回数を切替優先度に反映させることができる。ユーザの実績としての使用回数が最も多い入力端子３０ａを、第１番目の切替優先度にすることができる。また、計時部３３を用いて入力端子３０ａの使用時間を計時する必要がないため、プロジェクタ１の処理の負荷を低減することができる。
【００８１】
（変形例５）上記実施形態では、切替優先度テーブルＴ３の作成処理は、プロジェクタ１の電源が投入されたときに実行されるものとしたが、切替順序情報の設定（図２参照）が行われたときにも実行されるものとしてもよい。こうすれば、ユーザが意図して切替順序情報を設定した場合に、その切替順序情報を直ちに切替優先度に反映することが可能となり、利便性が向上する。
【００８２】
（変形例６）上記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００８３】
（変形例７）上記実施形態では、入力切替装置３８を備えた画像表示装置として、プロジェクタ１を例にして説明しているが、入力切替装置３８を備え、入力信号に基づいて画像や音声を出力する電子機器であれば適用することが可能である。例えば、透過型のスクリーンを一体的に備えたリアプロジェクタ、あるいは、液晶ディスプレイ、プラズマディスプレイ、ＳＥＤ（Surface-Conduction Electron-Emitter Display）、有機ＥＬ（Electro Luminescence）ディスプレイ、ＣＲＴ（Cathode Ray Tube）ディスプレイ、テレビ受信機等に適用することも可能である。
【図面の簡単な説明】
【００８４】
【図１】実施形態に係るプロジェクタの概略構成を示すブロック図。
【図２】切替順序設定画面の説明図。
【図３】切替優先度テーブル作成処理のフローチャート。
【図４】切替優先度テーブルを作成する過程において生成するテーブルを示す図であり、（ａ）は、入力端子状態テーブルの図、（ｂ）は、有効入力端子テーブルの図、（ｃ）は、切替優先度テーブルの図。
【図５】プロジェクタの電源投入時の入力端子選択処理のフローチャート。
【図６】プロジェクタの入力切替操作時の入力端子切替処理のフローチャート。
【図７】変形例１に係るプロジェクタが切替優先度テーブルを作成する過程において生成するテーブルを示す図であり、（ａ）は、入力端子状態テーブルの図、（ｂ）は、有効入力端子テーブルの図、（ｃ）は、切替優先度テーブルの図。
【図８】変形例２に係るプロジェクタが切替優先度テーブルを作成する過程において生成するテーブルを示す図であり、（ａ）は、入力端子状態テーブルの図、（ｂ）は、有効入力端子テーブルの図、（ｃ）は、切替優先度テーブルの図。
【図９】変形例３に係るプロジェクタが切替優先度テーブルを作成する過程において生成するテーブルを示す図であり、（ａ）は、入力端子状態テーブルの図、（ｂ）は、有効入力端子テーブルの図、（ｃ）は、切替優先度テーブルの図。
【図１０】変形例４に係るプロジェクタが切替優先度テーブルを作成する過程において生成するテーブルを示す図であり、（ａ）は、入力端子状態テーブルの図、（ｂ）は、有効入力端子テーブルの図、（ｃ）は、切替優先度テーブルの図。
【符号の説明】
【００８５】
１…プロジェクタ、１０…画像投写部、１１…光源、１２…液晶ライトバルブ、１３…投写レンズ、１４…ライトバルブ駆動部、２０…制御部、２１…入力操作部、３０…入力端子群、３０ａ…入力端子、３１…入力選択部、３２…使用状況検出部、３３…計時部、３４…使用状況記憶部、３５…切替順序記憶部、３６…優先度決定部、３７…端子切替部、入力切替装置３８、４０…画像処理部、４１…ＯＳＤ処理部。
【図１】
2009278497.tif 000003
【図２】
2009278497.tif 000004
【図３】
2009278497.tif 000005
【図４】
2009278497.tif 000006
【図５】
2009278497.tif 000007
【図６】
2009278497.tif 000008
【図７】
2009278497.tif 000009
【図８】
2009278497.tif 000010
【図９】
2009278497.tif 000011
【図１０】
2009278497.tif 000012